(57)【要約】【課題】  運転開始後に外部の状況が変わっても、簡易的な操作でユーザーの快適性を保つ。【解決手段】  空気調和機の操作装置３で過去設定した設定温度、湿度、風量、風向等の設定情報とその際の室内、室外の温度や湿度等の外部情報を記憶装置８に記憶し、記憶した外部情報と現在の外部情報を比較し、最も近い外部情報の時の設定情報を自動で定期的に設定することにより、定期的に設定を行わなくても快適性を持続できる。【選択図】  図１
2007327708.tif 000002
【特許請求の範囲】
【請求項１】
操作装置を備える空気調和機において、前記操作装置により過去設定した運転モード、設定温度、設定湿度、風量又は風向の設定情報と当該設定を行った際の室内温度、室外温度又は湿度の外部情報を記憶する記憶装置と、現在の室内温度、室外温度又は湿度と前記記憶装置が記憶した外部情報とを比較し、当該比較結果にしたがって所定の時間間隔ごとに前記空気調和機の設定を更新する空気調和機。
【請求項２】
請求項１において、前記記憶装置が前記空気調和機の設定の変更が行われてから所定の時間が経過するまでの間に、設定が変更されなかった場合、その時点での前記設定情報と、当該設定情報に対応する前記外部情報を前記記憶装置に記憶することを特徴とする空気調和機。
【請求項３】
請求項１において、前記空気調和機の操作装置の操作部を操作することで前記設定情報と当該設定情報に対応する前記外部情報とを前記記憶装置に記憶することを特徴とする空気調和機。
【請求項４】
請求項１において、前記操作装置に接続されている伝送線または無線を経由して前記設定情報と前記外部情報を前記記憶装置に記憶する空気調和機。
【請求項５】
請求項１において、前記操作装置に記憶された前記設定情報と前記外部情報を操作装置に表示し、手動操作により設定が選択可能とされていることを特徴とする空気調和機。
【請求項６】
請求項１において、前記操作装置は、記設定情報と当該設定情報に対応する前記外部情報に対し名前又は登録日時を登録する機能を有することを特徴とする空気調和機。
【請求項７】
請求項１において、前記記憶装置は、設定情報と外部情報があらかじめ登録されていることを特徴とする空気調和機。
【発明の詳細な説明】
【技術分野】
【０００１】
本発明は、空気調和機全般に関するものである。
【背景技術】
【０００２】
温度や湿度等の空調環境による快適性はユーザーの主観的な感覚によるところが大きく、また風量や風向によって同じ温度や湿度でも快適度は大きく異なる。しかし現在の空気調和機にある快適な運転をするとされる運転機能はあらかじめ記憶された一定の設定の運転を行うだけであり、ユーザーの主観的な感覚を考慮したものではない。特許文献１においては履歴機能を利用して基準値にユーザーの主観性を考慮している。また、特許文献２では、「自動運転」時に利用者の要求によりマニュアル操作により変更した運転モードを、その都度メモリに記憶し、次回の「自動運転開始時に、検出された室内温度と室外温度および湿度の各データとを比較することにより、該当する条件の運転モードを簡単に選択することができる。
【０００３】
【特許文献１】特開平６−３２３５９７号公報（特に、要約書参照）
【特許文献２】特開平６−８８６３７号公報（特に、第０００３段落参照）
【発明の開示】
【発明が解決しようとする課題】
【０００４】
特許文献１の方法では、ユーザーが設定した基準値を元に運転モードを選択するためユーザの主観的感覚を反映しているものの、暖房か冷房かどちらかの運転モードを選択するだけであり、多くのユーザーが感じる微妙な暑さ、寒さや風量や風向などの繊細で潜在的な不満に対して自動で快適な空調環境を提供するものではない。  これら繊細で潜在的な不満を解消する快適性を実現するために現在のリモートコントロール装置では使用する度にユーザーが運転モード、設定温度、湿度、風向、風量などを一つずつ設定することができるマニュアルモードがあるが潜在的な不満を感じる度に設定をリモートコントロール装置にて変更する必要があり、今度は使用方法においてユーザーの利便性は損なわれてしまう。特許文献２の方法でも、同様に運転開始後に外部情報が変化した際には、ユーザーの快適性を満足させつづけることができない。
【０００５】
本発明は、運転開始後に外部の状況が変わっても、簡易的な操作でユーザーの快適性を保つことを目的とする。
【課題を解決するための手段】
【０００６】
上記課題を解決するために、本発明の一態様では、操作装置により過去設定した運転モード、設定温度、設定湿度、風量又は風向の設定情報と当該設定を行った際の室内温度、室外温度又は湿度の外部情報を記憶する記憶装置と、現在の室内温度、室外温度又は湿度と前記記憶装置が記憶した外部情報とを比較する比較し、当該比較結果にしたがって所定の時間間隔ごとに設定を更新する構成を有する。
【０００７】
さらに、上記構成において。記憶装置が空気調和機の設定の変更が行われてから所定の時間が経過するまでの間に、設定が変更されなかった場合、その時点での設定情報と、当該設定情報に対応する外部情報を記憶する構成とすることが望ましい。
【０００８】
さらに、上記構成において、空気調和機の操作装置の操作部を操作することで前記設定情報と当該設定情報に対応する前記外部情報とを前記記憶装置に記憶することが望ましい。
【０００９】
さらに、上記構成において、操作装置に接続されている伝送線または無線を経由して設定情報と外部情報を記憶装置に記憶することが望ましい。
【００１０】
さらに、上記構成において、操作装置に記憶された設定情報と外部情報を操作装置に表示し、手動操作により設定を選択可能とすることが望ましい。
【００１１】
さらに、上記構成において、操作装置は、設定情報と当該設定情報に対応する外部情報に対し名前又は登録日時を登録する機能を有することが望ましい。
【００１２】
さらに、上記構成において、記憶装置は、設定情報と外部情報があらかじめ登録されていることが望ましい。
【発明の効果】
【００１３】
本発明によれば、運転開始後に外部の状況が変わっても、簡易的な操作でユーザーの快適性を保つことができる。
【発明を実施するための最良の形態】
【００１４】
以下、図面を参照して本発明の一実施の形態を詳細に説明する。
【００１５】
図１は空気調和機の室外機１、室内機２、記憶装置８、比較部９を備えるリモートコントロール装置（操作装置）３、室外機の温度センサ４、室外機の湿度センサ５、室内機の温度センサ６、室内機の湿度センサ７からなる空調システムのブロック図である。各ブロックは伝送線にて接続されている。
【００１６】
空気調和機の室内機は、室内機の温度センサ６にて受信した室内温度、室内機の湿度センサ７にて受信した室内湿度、室外機の温度センサ４にて受信した室外温度、室外機の温度センサ５にて受信した室外湿度等の外部情報と設定温度、設定湿度、設定風量、設定風向等の設定情報、名前、登録日時を１つのパターンとして複数記憶する不揮発性記憶を持つ。パターンにはあらかじめ推奨する設定情報と予想される外部情報が登録されている。
【００１７】
室内機は設定情報を変更してから一定の時間が経過するまでの間にいずれの設定情報も変更されなかった場合、その時の室内温度、室内湿度、室外温度、室外湿度等の外部情報と設定温度、設定湿度、設定風量、設定風向等の設定情報と名前と登録日時を１つのパターンとして記憶装置８に記憶する。上述の一定の時間については設定を変更可能とする。またその記憶領域にはリモートコントロール装置のスイッチ等を使用、またはリモートコントロール装置に接続されている伝送線または無線を経由して、パターンを記憶することができる。パターンは名前、登録日時、設定情報、外部情報をリモートコントロール装置の画面にて確認可能とする。
【００１８】
記憶する領域がパターンで満たされ空き領域がない場合は登録日時が最も古い情報を消しその領域に新たなパターンを記憶する。消去する情報は最も古い情報以外を選択することも可能とする。
【００１９】
リモートコントロール装置は電源投入時と設定を変更する際、（１）通常方法の設定変更、（２）パターン機能の手動設定変更、（３）パターン機能の自動設定変更、計３つの設定変更方法を有する。
（１）通常方法の設定変更は、前回設定時の設定を引き継いで運転または設定変更を行う。
（２）履歴機能の手動設定変更は、ユーザーは過去にリモートコントロール装置が自動で記憶、またはユーザーが手動で登録した設定をパターンとしてリモートコントロール装置のスイッチ等で選択し運転または設定変更を行う。
（３）履歴機能の自動設定変更は、過去にリモートコントロール装置が自動で記憶またはユーザーが手動で登録した、室内温度、室内湿度、室外温度、室外湿度等の外部情報と、現在の外部情報を比較し最も近い外部情報の時の設定情報を検索し選択する。
【００２０】
検索方法はまず現在の室内温度と同じまたは±１℃の誤差で室内温度をもつパターンを検索する。ここでパターンの候補が複数ある場合、その候補の中で室外温度、室内湿度、室外湿度の順で室内温度と同じ方法でパターンを検索して候補を絞り込む。候補がない場合は誤差の範囲を広げていくことで該当パターンを見つけ出す。また検索が最後まで終了した時点でパターンが複数ある場合は登録日時が一番新しいパターンを選択する。
【００２１】
この設定を選んだ際には運転中一定時間経過後、定期的に上記と同様の検索方法に従い設定を自動で変更を繰り返す事を可能とする。上述の一定時間については設定変更を可能とする。
これによりパターンが蓄積された装置では次のような運転が可能となる。
【００２２】
冬季など室内温度が低い状態で電源ON時、上述の検索方法に従い過去同じ外部情報の時に、設定情報を運転モード「暖房」設定温度「２５度」風量を「急」風向「下」に設定した過去の履歴から、今回も同じ設定情報を設定する。これにより早く室内を暖めたいという要求を満たす。一定時間経過後、再び上述の検索方法に従い過去と同じ外部環境を検索すると先ほどに比べ室内温度が暖められており外部情報が異なっている。この時の外部情報と過去同じ条件の設定情報は運転モード「暖房」設定温度「２３度」風量を「弱」」風向「上」であるためこの設定に自動で設定を変更する。これにより室内がユーザーが期待する温度からかけ離れている時には高めの設定温度と強い風量と風向を直接ユーザーに向けることで早期の暖房効果を期待し、室内が期待の温度に近づいた時点で設定温度や風量を抑え、また風向を直接ユーザーに当てないような設定が可能となる。本機能では設定温度だけではなく風量、風向など設定情報に用意されている全てが設定可能であり、これによりユーザーの繊細で潜在的な不満を継続的に自動で解消することができる。このような空気調和機の室内機の機能にてユーザーの快適性を満足させる。
【００２３】
図２を参照して、本実施例の自動設定手順を説明する。運転開始（２１）後、所定時間経過したときに現在の室内温度、室外温度等の外部情報を入手する（２３）。入手した室内温度、室外温度を記憶装置に記憶した室内温度、室外温度から検索して、最も近い室内温度、室外温度の際の設定温度、設定湿度等の設定を読み出す。そして、読み出した設定値で空調機を設定する。
【００２４】
上述の本発明の実施例によれば、一度ユーザーがリモートコントロール装置で設定した内容を、ユーザーの主観的感覚を反映した設定として記録し、次回以降、外部情報から自動で最も近い設定を選択することで、リモートコントロール装置の操作回数を増やすことなく、ユーザーの主観的な快適性に対する要求を満たすことができる。
【図面の簡単な説明】
【００２５】
【図１】本発明の一実施の形態による空調システムを示すブロック図。
【図２】本実施例の自動設定手順を示す図。
【符号の説明】
【００２６】
１…室外機、２…室内機、３…リモートコントロール装置（操作装置）、４…室外機の温度センサ、５…室外機の湿度センサ、６…室内機の温度センサ、７…室内機の湿度センサ
【図１】
2007327708.tif 000003
【図２】
2007327708.tif 000004